(57)【要約】【課題】表示される波形の拡大や縮小等の操作性を向上した波形測定装置を実現することにある。【解決手段】被測定波形を測定し、測定した波形を表示部に表示する波形測定装置に改良を加えたものである。本装置は、複数のボタンを有するポインティングデバイスと、このポインティングデバイスのボタン操作によって、表示される波形を時間軸および振幅軸の両方を同じ倍率で拡大、縮小して表示する倍率変更手段とを設けたことを特徴とするものである。【選択図】図１
2008197071.tif 000002
【特許請求の範囲】
【請求項１】
被測定波形を測定し、測定した波形を表示部に表示する波形測定装置において、
複数のボタンを有するポインティングデバイスと、
このポインティングデバイスのボタン操作によって、前記表示される波形を時間軸および振幅軸の両方を同じ倍率で拡大、縮小して表示する倍率変更手段と
を設けたことを特徴とする波形測定装置。
【請求項２】
ポインティングデバイスは、ボタンを少なくとも２個有するマウスであり、
一方のボタンのクリックによって拡大し、他方のボタンのクリックによって縮小することを特徴とする請求項１記載の波形測定装置。
【請求項３】
前記ポインティングデバイスのボタンの押される時間によって、拡大率または縮小率を変えることを特徴とする請求項２記載の波形測定装置。
【請求項４】
ポインティングデバイスはホイールを有し、このホイールの回転方向で拡大または縮小することを特徴とする請求項１〜３のいずれかに記載の波形測定装置。
【請求項５】
前記ポインティングデバイスのホイールの回転速度で拡大率または縮小率を変えることを特徴とする請求項４記載の波形測定装置。
【請求項６】
変更した倍率の履歴を記憶する記憶手段を有し、
倍率変更手段は、前記記憶手段の履歴を参照して倍率を変更することを特徴とする請求項１〜５のいずれかに記載の波形測定装置。
【発明の詳細な説明】
【技術分野】
【０００１】
本発明は、被測定波形を測定し、測定した波形を表示部に表示する波形測定装置に関し、詳しくは、表示される波形の拡大や縮小等の操作性を向上した波形測定装置に関するものである。
【背景技術】
【０００２】
波形測定装置は、例えば、デジタルオシロスコープであり、被測定波形を測定してデジタル信号の波形データに変換し、アクイジョンメモリに格納する。そして、アクイジョンメモリに格納した波形データの解析を行うと共に、この解析結果や波形データ等を表示処理部を介して表示部の表示画面への波形の表示等を行う。このような波形測定装置は、各種分野の研究開発、品質管理、保守作業等において広く使用されている。
【０００３】
波形測定装置は、被測定波形の観測、解析等を効率よくするため、表示画面に表示される波形を時間軸上や振幅軸上で、拡大または縮小することができる。
【０００４】
図５は、従来の波形測定装置の前面を示した図である。図５において、表示部としての表示画面１００、時間軸（横軸）の調整用ツマミＢ１、振幅軸（縦軸）の調整用ツマミＢ２が設けられる。
【０００５】
ユーザは、表示される波形を全体的（縦軸および横軸の双方）に拡大または縮小（以下、拡大等と略す）する場合、例えば、振幅軸の調整用ツマミＢ２を回して調整し、振幅軸上に波形を所望の倍率で拡大等する。その後、時間軸の調整用ツマミＢ１を回して調整し、時間軸上にも波形を拡大等する。
【０００６】
【特許文献１】特開２００４−１２５４１８号公報
【発明の開示】
【発明が解決しようとする課題】
【０００７】
波形測定装置における縦軸、横軸の設定は、１−２−５ステップが一般的であり、例えば、縦軸であれば、１［mV/div］−２［mV/div］−５［mV/div］−１０［mV/div］−２０［mV/div］…となっている。
【０００８】
しかしながら、表示波形を全体的に拡大する場合、一方のツマミＢ１（またはツマミＢ２）を回して調整した後、他方のツマミＢ２（またはツマミＢ１）を回して調整する。そのため、２回の操作が必要となり、表示している波形を直感的に２倍、４倍（または１／２倍、１／４倍）等に拡大等することが困難であるという問題があった。
【０００９】
また、上述のように、縦軸、横軸の設定がとびとびの値をとるため、特に、縦軸と横軸とを等倍に拡大等する場合、現在の縦軸と横軸の設定値（例えば、１［mV/div］と２［μs/div］の場合）を確認し、ユーザが自ら等倍となるような設定値を計算する必要があり、直感的に操作することが困難であるという問題があった。
【００１０】
さらに、表示波形を拡大等し、その後に拡大等した表示波形を元の大きさに戻す場合、ユーザが縦軸、横軸の設定値を記憶またはメモしておく必要があり、操作が難しいという問題があった。
【００１１】
そこで本発明の目的は、表示される波形の拡大等の操作性を向上した波形測定装置を実現することにある。
【課題を解決するための手段】
【００１２】
請求項１記載の発明は、
被測定波形を測定し、測定した波形を表示部に表示する波形測定装置において、
複数のボタンを有するポインティングデバイスと、
このポインティングデバイスのボタン操作によって、前記表示される波形を時間軸および振幅軸の両方を同じ倍率で拡大、縮小して表示する倍率変更手段と
を設けたことを特徴とするものである。
請求項２記載の発明は、請求項１記載の発明において、
ポインティングデバイスは、ボタンを少なくとも２個有するマウスであり、
一方のボタンのクリックによって拡大し、他方のボタンのクリックによって縮小することを特徴とするものである。
請求項３記載の発明は、請求項２記載の発明において、
前記ポインティングデバイスのボタンの押される時間によって、拡大率または縮小率を変えることを特徴とするものである。
請求項４記載の発明は、請求項１〜３のいずれかに記載の発明において、
ポインティングデバイスはホイールを有し、このホイールの回転方向で拡大または縮小することを特徴とするものである。
請求項５記載の発明は、請求項４記載の発明において、
前記ポインティングデバイスのホイールの回転速度で拡大率または縮小率を変えることを特徴とするものである。
請求項６記載の発明は、請求項１〜５のいずれかに記載の発明において、
変更した倍率の履歴を記憶する記憶手段を有し、
倍率変更手段は、前記記憶手段の履歴を参照して倍率を変更することを特徴とするものである。
【発明の効果】
【００１３】
本発明によれば、以下の効果がある。
ポインティングデバイスのボタン操作に基づいて、倍率変更手段が、表示部に表示される波形の縦軸および横軸の両方を同じ倍率で拡大または縮小するので、直感的な操作ができ、表示される波形の拡大または縮小の操作性が向上される。
【発明を実施するための最良の形態】
【００１４】
以下図面を用いて本発明の実施の形態を説明する。
図１は、本発明の一実施例を示した構成図である。図１において、測定部１０は、被測定波形が入力され、被測定波形を測定した波形データを出力する。なお、測定部１０は、複数の被測定波形を同時に測定するため複数チャネル分設けられることもあるが、図１では、１チャネル分のみ図示している。
【００１５】
アクイジョンメモリ２０は、測定部１０からの波形データを格納する。データ処理部３０は、アクイジョンメモリ２０から波形データを読み出し、データ処理や解析等を行なう。
【００１６】
表示処理部４０は、倍率変更手段４１を有し、データ処理部３０で処理された波形データや解析結果等を表示部５０に表示させる。倍率変更手段４１は、表示されている表示波形を縦軸と横軸とを同じ倍率（例えば、１倍、２倍、４倍、８倍…、１／２倍、１／４倍、１／８倍…）で拡大等する。表示部５０は、表示画面を有し、被測定波形や解析結果等を表示する
【００１７】
マウス６０は、波形測定装置本体に無線や有線で接続され、２個のボタンおよびマウスホイールを有し、右クリック、左クリック、左右同時クリック、ホイールの回転方向等を表示処理部４０に出力する。ここでは、ボタンの数を２個として説明するが、もっと多くてもよい。
【００１８】
メモリ７０は、記憶手段であり、複数の領域に分割されており、マウス６０の操作モードを記憶する領域７１、表示部５０に表示される表示波形の拡大等の倍率の設定を記憶する領域７２、マウス６０の操作履歴を記憶する領域７３が設けられ、表示処理部４０から読み書きされる。
【００１９】
マウス６０の操作モードとは、波形操作モードと通常のモードとがある。波形操作モードは、表示された波形を拡大等するためのモードであり、通常のモードはその他の操作（例えば、表示画面上のファンクションメニューの選択など）をするためのモードである。
【００２０】
また、操作履歴とは、波形操作モードにおいて、表示波形の拡大等を行なった倍率の履歴である。各履歴の保存は、履歴用の領域７３の大きさにもよるが約１００個程度保存できるとよい。
【００２１】
このような装置の動作を説明する。まず、表示部５０に被測定波形を表示する動作から説明する。
測定部１０のＡＤ変換器（図示せず）が、アナログ信号の被測定波形をデジタル信号に変換し、所定長のデジタルデータを波形データとしてアクイジョンメモリ２０に格納する。
【００２２】
そして、データ処理部３０が、アクイジョンメモリ２０から波形データを読み出し、波形データの平均化処理等のデータ処理を行なったり、最大値・最小値の検出等の波形解析を行ない、処理後の波形データや解析結果等を表示処理部４０に出力する。
【００２３】
さらに、表示処理部４０が、予め設定された縦軸・横軸の設定値で表示部５０の表示画面に波形の表示、解析結果等の表示を行なう。
【００２４】
次に、表示部５０の表示画面に表示される波形を拡大等する動作を説明する。図２〜図４は、表示される波形の拡大等を行なう動作を示したフローチャートである。図２は、マウス６０を用いて拡大等を行なうための設定の動作を示し、図３は、マウス６０を用いて縦軸と横軸を等倍に拡大等する動作を示し、図４は、マウス６０を用いて拡大等した表示波形を元の大きさに戻す動作（いわゆるｕｎｄｏ動作）を示している。
【００２５】
設定の動作から説明する。
設定部（図示せず）が、ユーザの操作（例えば、波形測定装置の前面に設けられる操作ボタンを操作）に基づいて、モード用領域７１のマウスの操作モードを波形操作モードに設定する（Ｓ１０、Ｓ１１）。そして、設定部が、ユーザ操作に基づいて倍率設定用の領域７２に倍率の設定（例えば、拡大用として２倍、縮小用として１／２倍）を行なう（Ｓ１２，Ｓ１３）。
【００２６】
拡大等する動作を説明する。
倍率変更手段４１が、モード用領域７１のマウスの操作モードを参照し、通常モードであれば、マウス６０による等倍拡大等を行なわない（Ｓ２０、Ｓ２１）。一方、波形操作モードの場合、マウス６０のクリックによって、表示波形の拡大等の処理を行なう（Ｓ２０〜Ｓ２２）。
【００２７】
マウス６０が右クリックされた場合、倍率変更手段４１が、倍率設定用領域７２に設定された拡大用の倍率（例えば、２倍）を参照し、表示波形を縦軸・横軸ともに２倍に拡大した画像データを生成する（Ｓ２２、Ｓ２３，Ｓ２５）
【００２８】
マウス６０が左クリックされた場合、倍率変更手段４１が、倍率設定用領域７２に設定された縮小用の倍率（例えば、１／２倍）を参照し、表示波形を縦軸・横軸ともに１／２倍に縮小した画像データを生成する（Ｓ２２、Ｓ２４、Ｓ２５）
【００２９】
そして、倍率変更手段４１が、ステップＳ２３の拡大した倍率またはステップＳ２４の縮小した倍率を履歴用領域７３に書き込む。この場合、既に書きこんだ倍率に上書きせず、操作順に保存していく（Ｓ２６、Ｓ２７）。
【００３０】
さらに、倍率変更手段４１が、表示画面に表示されている波形（倍率変更前の波形）を、ステップＳ２３またはＳ２４で生成した画像データに基づいて拡大等した波形で表示する（Ｓ２８）。
【００３１】
ｕｎｄｏ動作について説明する。
倍率変更手段４１が、モード用領域７１のマウスのモードを参照し、通常モードであれば、マウス６０によるｕｎｄｏ動作を行なわない（Ｓ３０、Ｓ３１）。一方、波形操作モードの場合、マウス６０の右クリック、左クリックであれば、ステップＳ２０〜Ｓ２８を行ない、左右同時クリックであれば、表示波形を元の倍率に戻す処理を行なう（Ｓ３０〜Ｓ３２）。
【００３２】
マウス６０が左右同時クリックされた場合、倍率変更手段４１が、履歴用領域７３に保存してある履歴のうち、最新の履歴（倍率の値）を削除し、一つ前の履歴（現在の表示波形となる一つ前の倍率）を最新の履歴とする（Ｓ３４）。
【００３３】
そして、倍率変更手段４１が、領域７３の最近の履歴とした倍率の値を参照し、その倍率による表示波形の画像データを生成する（Ｓ３５、Ｓ３６）。
【００３４】
さらに、倍率変更手段４１が、生成した画像データに基づいて一つ前の倍率で拡大等した波形を表示する（Ｓ３７）。
【００３５】
このように、マウス６０のクリックに基づいて、表示波形の縦軸および横軸の両方を同じ倍率で拡大等するので、直感的な操作ができ、表示される波形の拡大等の操作性が向上される。
【００３６】
また、マウス６０のクリック一つの動作（右クリックで拡大、左クリックで縮小）で縦軸・横軸共に拡大等ができ、ツマミＢ１，Ｂ２それぞれを操作する場合と比較して素早く操作でき、表示される波形の拡大等の操作性が向上される。
【００３７】
また、倍率設定用領域７２の設定値に基づいて、倍率変更手段４１が、縦軸・横軸共に同じ倍率で拡大等を行なうので、現在の縦軸・横軸の設定値から所望の倍率となるツマミＢ１，Ｂ２の調整量を求める必要がない。これにより、直感的な操作ができ、表示される波形の拡大等の操作性が向上される。
【００３８】
また、メモリ７０の領域７３に拡大等の倍率の操作履歴を管理するので、一つ前、またはそれ以前の倍率で波形を表示することができる。これにより、ユーザが、変更前の倍率を記憶などする必要が無く、直感的な操作ができ、表示される波形の拡大等の操作性が向上される。
【００３９】
なお、本発明はこれに限定されるものではなく、以下に示すようなものでもよい。
同一のメモリ７０内に各領域７１〜７３を設ける構成を示したが、領域７１〜７３それぞれを物理的に異なるメモリに設けてもよい。
【００４０】
ポインティングデバイスの一例としてマウス６０を用いる構成を示したが、どのようなデバイスを用いていもよい。
【００４１】
マウス６０のボタンの右クリック、左クリックで、倍率変更手段４１が、表示部５０に表示される波形の拡大等を行なう構成を示したが、マウス６０のホイールの上下回転方向で拡大・縮小等を行なってもよい。例えば、倍率変更手段４１が、ホイールが上回転の場合は右クリックと同様に波形の拡大を行ない、ホイールが下回転の場合は左クリックと同様に波形の縮小を行なうとよい。
【００４２】
倍率変更手段４１が、メモリ７０の倍率設定用領域７２の設定値で拡大等する構成を示したが、マウス６０でクリックされる時間の長さによって倍率を可変とし、例えば、右ボタンの押される時間が長いほど、拡大する倍率を大きくするとよい。また、ホイールの回転速度によって倍率を可変とし、上回転が速いほど、拡大する倍率を大きくする等してもよい。
【００４３】
表示処理部４０のマウスポインタ表示手段（図示せず）が、モード用領域７１のモードを確認し、表示部５０の表示画面に表示するマウスポインタの形状をモードによって変更してもよい。これにより、モードの確認を容易に行なうことができる。
【００４４】
マウス６０で左右同時クリックされた場合、倍率変更手段４１が、最新の倍率を削除し、一つ前の倍率を最新の履歴に変更して波形の倍率を元に戻すｕｎｄｏ動作を行なう構成を示したが、全ての倍率の履歴を履歴用領域７３に格納し、直前に取り消した倍率の表示を、もう一度繰り返して実行（いわゆるｒｅｄｏ動作）してもよい。例えば、最初の倍率に対して、２倍、４倍、８倍と３回クリックされた場合、左右同時クリックで４倍の状態に戻された後、ダブルクリック等で再度８倍に戻してもよい。
【図面の簡単な説明】
【００４５】
【図１】本発明の一実施例を示した構成図である。
【図２】図１に示す装置の動作の一例を示したフローチャートである。
【図３】図１に示す装置の動作のその他の例を示したフローチャートである。
【図４】図１に示す装置の動作のその他の例を示したフローチャートである。
【図５】従来の波形測定装置の前面の一例を示した図である。
【符号の説明】
【００４６】
４１  倍率変更手段
５０  表示部
６０  マウス
７３  履歴用の領域
【図１】
2008197071.tif 000003
【図２】
2008197071.tif 000004
【図３】
2008197071.tif 000005
【図４】
2008197071.tif 000006
【図５】
2008197071.tif 000007